(57)【特許請求の範囲】
【請求項１】
筐体内に物品を収納する複数のロッカー（１）が通信ケーブル（４）を介して電気的に接続され、前記ロッカーのそれぞれには、
ロッカー番号設定モードを選択するモードキー、ロッカー番号を設定記憶するための設定キー、ロッカー番号の設定を完了するための完了キーを有して前記筐体の前面に配設されたキー入力手段（６）と、
該キー入力手段に並設され、ロッカー番号を表示するための表示手段（５）と、
前記設定キーが押されたときに前記表示手段に表示された表示値をロッカー番号として設定記憶する記憶手段（１０）と、
該記憶手段にロッカー番号が設定記憶されたときにロッカー番号が設定された旨の信号を送信し、前記完了キーが押されたときにロッカー番号の設定が完了した旨の信号を送信する送信制御手段（１２ａ）と、
前記通信ケーブルを介して他のロッカーから送信される信号を受信する受信制御手段（１２ｂ）と、
前記モードキーが押されたとき又は他のロッカーのモードキーが押された旨の信号を前記受信制御手段が受信したときにロッカー番号を前記記憶手段に設定記憶するための初期値が表示されるように前記表示手段の表示を制御し、前記記憶手段にロッカー番号が設定記憶されていない状態で、他のロッカーの設定キーが押された旨の信号を前記受信制御手段が受信したときに前記表示手段に表示されている現在の表示値が１増加するように前記表示手段の表示を制御する表示制御手段（２０）とを備えたことを特徴とするロッカー番号設定装置。
【請求項２】
ロッカー番号設定モードを選択するモードキー、ロッカー番号を設定記憶するための設定キー、ロッカー番号の設定を完了するための完了キーを有するキー入力手段（６）と、ロッカー番号を表示する表示手段（５）と、ロッカー番号を記憶する記憶手段（１０）とが複数のロッカー（１）のそれぞれに設けられ、該ロッカーのロッカー番号をキー入力によって設定するロッカー番号設定方法において、
いずれか１つのロッカーのモードキーを押して前記ロッカーのすべての表示手段の表示値を同一の初期値にする第１のステップと、
前記モードキーが押されたロッカーの設定キーを押して当該ロッカーの表示手段の表示値を１増加し、その値をロッカー番号として前記記憶手段に設定記憶し、ロッカー番号設定済のロッカーを除く他のすべてのロッカーにロッカー番号を設定した旨の信号を送信する第２のステップと、
該ロッカー番号を設定した旨の信号を受信した他のロッカーそれぞれの表示手段の表示値を１増加して表示する第３のステップと、
前記第２のステップと第３のステップを前記完了キーが押されるまで繰り返し行う第４のステップと、
前記完了キーが押されたロッカーよりロッカー番号の設定が完了した旨の信号を他のすべてのロッカーに送信する第５のステップとを含むことを特徴とするロッカー番号設定方法。
【発明の詳細な説明】
【０００１】
【産業上の利用分野】
本発明は、例えば集合住宅における居住者不在時の物品を収納する複数のロッカーを管理するにあたって、個々のロッカー番号を設定するロッカー番号設定装置およびロッカー番号設定方法に関するものである。
【０００２】
【従来の技術】
例えば集合住宅において、宅配便による物品の配達があると、宅配便では本人直接受け渡し又は代理受け渡しを基本としているため、物品の受領者が不在の場合には、集合住宅に配属された管理人がその物品を代理受領することが多い。その場合、管理人は預かった物品を保管管理する必要がある。
【０００３】
そこで、この種の受領者不在時における物品を管理するシステムとして、電気錠を備えたロッカーを使用するロッカーシステムが知られている。このロッカーシステムは、居住者や外来者が出入りするフロアーに複数台のロッカーが設置され、ロッカー内に預かった物品を収納した後、ロッカー番号や住戸番号がキー入力されるとロッカーが施錠され、キー入力された暗証番号と予め各住戸毎に割り当てられた暗証番号とを照合して一致すると、ロッカーが解錠されてロッカー内の物品が取り出せるようになっている。
【０００４】
ところで、上記のシステムにおいて、特に、ロッカー番号を使用してロッカー管理を行う場合、ロッカー番号の設定は、ロッカーの製造時に付記される製造上番号をデータ化して回路基板上のＲＯＭに予め記憶させておく方法や、回路基板に設けられた複数のディップスイッチのオン・オフの組合せから得られる２値（０，１）のビット化された信号を用いる方法が一般的であった。
【０００５】
【発明が解決しようとする課題】
しかしながら、上述したロッカー番号の設定方法では、回路基板上のＲＯＭやディップスイッチを使用しているため、仮に、ロッカーの設置後にロッカー番号を設定するには、ロッカー内部から回路基板を取り出してＲＯＭへのデータの書込みやディップスイッチの操作を行わなければならず、配線工事上の手間になったり、設定ミスを伴うことが十分に考えられる。
【０００６】
特に、ロッカーを増設する場合には、既設されたロッカーのロッカー番号と重複しないようにロッカー番号を設定する必要があるが、従来の設定方法では、回路基板をロッカーから取り出してＲＯＭへのデータの書込みやディップスイッチの設定操作を行い、再び回路基板をロッカー内の元の位置に取り付けるという作業を行わなければならないので、すべてのロッカー番号を設定するのに手間と時間がかかるという問題があった。
【０００７】
また、ディップスイッチを用いた設定では、オン・オフの組合せにより個々のロッカーのロッカー番号を変えているので、例えば４つのロッカー番号を設定するには２つのスイッチが必要となる。したがって、多くのロッカーが配設されたシステムでは、その分だけスイッチの数が増加するだけでなく、ロッカー番号の設定にあたっては、ロッカー番号が何番まで使用されているかを記憶しておきながら次のロッカーのロッカー番号を設定しなければならないので、設定ミスを誘発するおそれがあった。
【０００８】
そこで、本発明は上記問題点に鑑みてなされたものであって、すべてのロッカーのロッカー番号を事前に設定する必要なく、ロッカー取付後など何時でも表示で確認しながら簡単に行えるロッカー番号設定装置およびロッカー番号設定方法を提供することを目的としている。
【０００９】
【課題を解決するための手段】
上記目的を達成するため、本発明による請求項１のロッカー番号設定装置は、筐体内に物品を収納する複数のロッカー１が通信ケーブル４を介して電気的に接続され、前記ロッカーのそれぞれには、
ロッカー番号設定モードを選択するモードキー、ロッカー番号を設定記憶するための設定キー、ロッカー番号の設定を完了するための完了キーを有して前記筐体の前面に配設されたキー入力手段６と、
該キー入力手段に並設され、ロッカー番号を表示するための表示手段５と、
前記設定キーが押されたときに前記表示手段に表示された表示値をロッカー番号として設定記憶する記憶手段１０と、
該記憶手段にロッカー番号が設定記憶されたときにロッカー番号が設定された旨の信号を送信し、前記完了キーが押されたときにロッカー番号の設定が完了した旨の信号を送信する送信制御手段１２ａと、
前記通信ケーブルを介して他のロッカーから送信される信号を受信する受信制御手段１２ｂと、
前記モードキーが押されたとき又は他のロッカーのモードキーが押された旨の信号を前記受信制御手段が受信したときにロッカー番号を前記記憶手段に設定記憶するための初期値が表示されるように前記表示手段の表示を制御し、前記記憶手段にロッカー番号が設定記憶されていない状態で、他のロッカーの設定キーが押された旨の信号を前記受信制御手段が受信したときに前記表示手段に表示されている現在の表示値が１増加するように前記表示手段の表示を制御する表示制御手段２０とを備えたことを特徴としている。
【００１０】
本発明による請求項２のロッカー番号設定方法は、ロッカー番号設定モードを選択するモードキー、ロッカー番号を設定記憶するための設定キー、ロッカー番号の設定を完了するための完了キーを有するキー入力手段６と、ロッカー番号を表示する表示手段５と、ロッカー番号を記憶する記憶手段１０とが複数のロッカー１のそれぞれに設けられ、該ロッカーのロッカー番号をキー入力によって設定するロッカー番号設定方法において、
いずれか１つのロッカーのモードキーを押して前記ロッカーのすべての表示手段の表示値を同一の初期値にする第１のステップと、
前記モードキーが押されたロッカーの設定キーを押して当該ロッカーの表示手段の表示値を１増加し、その値をロッカー番号として前記記憶手段に設定記憶し、ロッカー番号設定済のロッカーを除く他のすべてのロッカーにロッカー番号を設定した旨の信号を送信する第２のステップと、
該ロッカー番号を設定した旨の信号を受信した他のロッカーそれぞれの表示手段の表示値を１増加して表示する第３のステップと、
前記第２のステップと第３のステップを前記完了キーが押されるまで繰り返し行う第４のステップと、
前記完了キーが押されたロッカーよりロッカー番号の設定が完了した旨の信号を他のすべてのロッカーに送信する第５のステップとを含むことを特徴としている。
【００１１】
【作用】
ロッカー番号を設定するにあたっては、いずれか１つのロッカー１のモードキーが押されると、すべてのロッカー１の表示手段５の表示値が同一の初期値（例えば「０００」になる。この状態で、モードキーが押されたロッカー１の設定キーが押されると、そのロッカー１の表示手段５の表示値のみが１増加し、その値がロッカー番号として記憶手段１０に設定記憶される。そして、ロッカー番号が設定記憶されたロッカー１は、他のロッカー１にロッカー番号を設定した旨の信号を送信する。このロッカー番号を設定した旨の信号を受信した他のロッカー１は、それぞれの表示手段５の表示値を１増加して表示する。そして、上記モードキーが押された以降の動作は、完了キーが押されるまで繰り返し行われる。そして、最後のロッカーのロッカー番号が設定記憶され、そのロッカーの完了キーが押されると、ロッカー番号の設定が完了した旨の信号が他のすべてのロッカーに送信され、この信号を他のすべてのロッカーが受信すると、ロッカー番号の設定が完了する。
【００１２】
【実施例】
図１は本発明によるロッカー番号設定装置が適用されるロッカーシステムのブロック構成図、図２は同システムのテンキー錠ユニットと電気錠の概略構成図、図３はテンキー錠ユニットの内部構成の詳細を示すブロック図である。
なお、この実施例では、例えば居住者や外来者が出入りする集合住宅のフロアーにロッカーシステムを配置し、居住者が不在の場合の物品を管理する場合を例にとって説明する。
【００１３】
ロッカーシステムは、物品を収納する複数のロッカー１を有し、各ロッカー１毎にテンキー錠ユニット２を備えている。
各テンキー錠ユニット２は一端に電源３が接続された通信用ケーブル４を介して電気的に接続されている。通信用ケーブル４は、例えば平行ビニールコード等から構成され、反射波によるリギングが無視できる程度に可能な限り低速（例えば１００ビット／秒）な通信速度となっている。
【００１４】
図３に示すように、各ロッカー１に設けられたテンキー錠ユニット２は、表示器（表示手段）５を有するキー入力器（入力手段）６、データ／電源分離器７、電源回路（安定化電源回路）８、電池９、記憶器（記憶手段）１０、マイクロコンピュータ（演算・制御手段）１１、データ通信制御器（通信制御手段）１２、電気錠ドライバー（駆動手段）１３を備えて概略構成されている。
【００１５】
キー入力器６は、ロッカー１の本体を形成する筐体や扉の前面に配設されており、図２に示すように、データ入力用のキーとして、０〜９の数字キー６ａ、スタートキー６ｂ、確認キー６ｃによる３つのキーと、表示器５に表示された表示情報の一部又は全体をクリアするクリアキー６ｄが操作面上に配置されている。表示器５は、キー入力器６の操作面の上部に並設され、ロッカー番号の他、キー入力された部屋番号、暗証番号やエラー内容等の各種表示を行っている。
【００１６】
データ／電源分離器７は、図示はしないが、通信ケーブル４を介して伝送される信号を全波整流する全波整流器と、全波整流された信号を平滑する平滑回路と、全波整流された信号から電源を分離して信号を取り出すレベル変換器と、全波整流器を介して通信ケーブル４に送信信号を送信する送信器を備えている。
【００１７】
電池９は例えばキー入力器６の本体に着脱可能に配設され、マンガン乾電池、アルカリ乾電池等の一次電池、又は鉛蓄電池、アルカリ蓄電池等の充電可能な二次電池で構成されている。電池９が二次電池で構成される場合には、通信ケーブル４を介してデータ通信と一緒に伝送される電源３によって常時電流が供給され、低速による充電が行われるようになっている。
【００１８】
記憶器１０は、例えば電気的にデータの書き換えが可能なＥＥＰＲＯＭで構成され、電池切れや電池交換による内部データの消去を防止している。記憶器１０には、後述する「メンテナンスモード」で使用されるメンテナンス用暗証番号の他、「登録・再登録モード」時に登録されたブロック単位の各部屋番号毎の暗証番号が登録データとして記憶されている。また、後述する「ロッカー番号登録モード」時に設定されるロッカー番号を記憶している。
【００１９】
図３に示すように、マイクロコンピュータ１１は、モード判別手段１５、エラー検定手段１６、ロッカー番号設定手段１７、データ照合手段１８、施・解錠判別手段１９、表示制御手段２０を備えて構成されている。
モード判別手段１５は、キー入力器６からのキー信号と後述する施・解錠判別手段１９からの判別信号により、現在のモードが「施錠モード」、「解錠モード」、「登録・再登録モード」、「メンテナンスモード」のいずれのものであるかを判別している。
【００２０】
この実施例では、以下のような判別が行われる。すなわち、施・解錠判別手段１９から解錠状態を示す判別信号が入力している状態でスタートキー６ｂが押下されると「施錠モード」と判別する。施・解錠判別手段１９から施錠状態を示す判別信号が入力している状態でスタートキー６ｂが押下されると「解錠モード」と判別する。確認キー６ｃを押しながらスタートキー６ｂが押下されると「登録・再登録モード」と判別する。０の数字キー６ａを押しながらスタートキー６ｂが押下されると「管理者用モード」と判別する。０以外の数字キー６ａを押しながらスタートキー６ｂが押下されると「メンテナンスモード」と判別する。
そして、このモード判別手段１５による判別信号は、データ照合手段１８、施・解錠判別手段１９、表示制御手段２０にそれぞれ出力される。
【００２１】
エラー検定手段１６は、後述するデータ受信制御手段１２ｂから入力される受信データのうち、部屋番号や暗証番号とともに伝送されるパリティビットやサムチェック等の重畳ビットから受信データのエラー検定を行っている。また、「登録・再登録モード」、「メンテナンスモード」時のデータの送信に対する他のテンキー錠ユニット２からの応答信号に基づいてエラーデータの有無を検定している。
【００２２】
データ書込手段１７は、モード判別手段１５より「メンテナンスモード」を示す判別信号が入力された状態で、キー入力器６におけるスタートキー６ｂが押されたときに、スタートキー６ｂが押される以前の表示器５の表示値を１増加し、その値をロッカー番号として記憶器１０に書き込んでいる。また、モード判別手段１５より「登録・再登録モード」を示す判別信号が入力されたときに、キー入力器６による部屋番号と暗証番号を対にして記憶器１０に登録データとして書き込んでいる。
さらに、モード判別手段１５より「登録・再登録モード」を示す判別信号が入力され、エラー検定手段１６よりエラーなしの旨を示す検定信号が入力されたときに、記憶器１０内のキー入力器６と同じ部屋番号の登録データをキー入力器６から新たに入力された部屋番号の暗証番号に書き換えている。また、他のテンキー錠ユニット２からの送信データを受信したときに、エラー検定手段１６よりエラーなしの旨を示す検定信号が入力されると、記憶器１０内の該当する部屋番号の登録データを受信データによる部屋番号と暗証番号に書き換えている。
【００２３】
データ照合手段１８は、キー入力器６より入力される暗証番号（各部屋番号毎の暗証番号、メンテナンス用暗証番号）と予め設定記憶された記憶器１０内の暗証番号（各部屋番号毎の暗証番号を示す登録データ、メンテナンス用暗証番号）とをモード判別手段１５からの判別信号に応じて照合している。
【００２４】
この実施例では、以下のような照合判別が行われる。すなわち、モード判別手段１５より「登録・再登録モード」を示す判別信号が入力されると、キー入力器６による暗証番号と記憶器１０内の同じ部屋番号に対応した暗証番号とを照合し、キー入力器６による暗証番号が既に登録済か否かを判別する。モード判別手段１５より「解錠モード」を示す判別信号が入力されると、キー入力器６による暗証番号と記憶器１０内の同じ部屋番号に対応した暗証番号とを照合する。モード判別手段１５より「管理者用モード」を示す判別信号が入力されると、キー入力器６による管理者用暗証番号と記憶器１０内の管理者用暗証番号とを照合する。モード判別手段１５より「メンテナンスモード」を示す判別信号が入力されると、キー入力器６によるメンテナンス用暗証番号と記憶器１０内のメンテナンス用暗証番号とを照合する。
そして、このデータ照合手段１８では、データの照合が一致したときには一致信号（又は登録済信号）を、また一致しないときには不一致信号をモード判別手段１５に出力している。
【００２５】
施・解錠判別手段１９は、図２に示すように、電気錠２１に設けられた扉の開閉を検出するスイッチ（例えばマイクロスイッチ）２２からの開閉信号やラッチボルト２３の係合の有無を示す状態検出信号によって電気錠２１が施錠状態、解錠状態のいずれの状態にあるかを判別し、その判別信号をモード判別手段１５に出力している。また、施・解錠判別手段１９では、電気錠２１より解錠状態を示す状態検出信号が入力し、モード判別手段１５より「施錠モード」を示す判別信号が入力された状態で、キー入力器６による部屋番号の入力が行われると、電気錠ドライバー１３に施錠信号を出力する。これに対し、電気錠２１より施錠状態を示す状態検出信号が入力し、モード判別手段１５より「解錠モード」を示す判別信号が入力された状態で、キー入力器６による暗証番号の入力が行われ、データ照合手段１８より一致信号が入力されると、電気錠ドライバー１３に解錠信号を出力する。
【００２６】
表示制御手段２０は、モード判別手段１５からの判別信号により、各モードに応じた各種表示（入力のためのスペース表示、ロッカー番号、部屋番号、各種暗証番号、エラー内容表示、表示内容のクリア等）を行うように表示器５の表示を切換制御している。
【００２７】
データ通信制御器１２は、データ送信制御手段１２ａとデータ受信制御手段１２ｂを備えている。データ送信制御手段１２ａは、他のロッカーのテンキー錠ユニット２にデータを送信するにあたって、モード判別手段１５からの判別信号に応じた各種コード（比較モード又は再登録モードの確認コード、ロッカー番号登録認識コード、ロッカー番号更新認識コード、ロッカー番号登録完了コード、ロッカー番号確認コード、ロッカー番号確認完了コード、登録モード又は再登録モードの認識コード、終了コード等）の送信を行っている。また、部屋番号、暗証番号の他、ロッカー番号を示すデータを電源３による電力と一緒に例えばパルスポジション変調して送信器７ｄから送信している。
【００２８】
データ受信制御手段１２ｂは、データ／電源分離器７により電源３と分離された他のテンキー錠ユニット２からの受信データを受信してエラー検定手段１６に出力している。また、後述する「ロッカー番号登録モード」でロッカー番号が登録済のときには、他のテンキー錠ユニット２から送信されたデータの受信を禁止するように制御している。
【００２９】
電気錠ドライバー１３は、施・解錠判別手段１９からの施錠信号により電気錠２１を施錠し、施・解錠判別手段１９からの解錠信号により電気錠２１を解錠するように電気錠２１の駆動を制御している。
【００３０】
次に、上記のように構成されたロッカーシステムの動作を図４の説明図および図５〜図１３に示すフローチャート図に基づいて説明する。
【００３１】
（登録・再登録モード）
・登録モード（例えば入居時や居住者の申出により予め管理者が行う）
図５における待機状態（ＳＰ１）から、確認キー６ｃを押しながらスタートキー６ｂが押されると（ＳＰ２）、表示器５には８桁のスペース表示がなされる（ＳＰ３）。この実施例では最初の３桁が部屋番号で、次の１桁を空け、続く４桁が暗証番号に割り当てられている。ここで、数字キー６ａにより「２０１１２３４」が入力されると（ＳＰ４）、表示器５は「２０１  １２３４」を表示する（ＳＰ５）。ここで、確認キー６ｃが押下され（ＳＰ６）、入力データが登録済でなければ（ＳＰ７−ＮＯ）、登録モードの認識コードを送信後、部屋番号「２０１」に続き、暗証番号「１２３４」を送信した後、終了コードを送信する（ＳＰ８）。これにより、他のテンキー錠ユニット２では、送信された部屋番号「２０１」の暗証番号が「１２３４」に書き換えられ、その際、エラーがある場合にはエラーデータを受信した旨の応答信号を送信する。その後、受信状態となり（ＳＰ９）、他のテンキー錠ユニット２からエラーデータを受信しなければ（ＳＰ１０−ＮＯ）、記憶器１０には部屋番号「２０１」に対応した暗証番号「１２３４」が登録データとして記憶され（ＳＰ１１）、待機状態に戻る。
ここで、エラーデータを受信した場合には（ＳＰ１０−ＹＥＳ）、ＳＰ８〜１０の動作を再実行し、その回数が２回になると（ＳＰ１２−ＹＥＳ）、一定時間エラー表示（エラー内容やロッカー番号の表示）を行った後（ＳＰ１３）、待機状態に戻る。
【００３２】
・再登録モード（例えば「２０１」号室の住人が変わり、部屋番号「２０１」の暗証番号を「１２３４」から「２３４５」に再登録する場合の例）
ＳＰ７において、入力データが登録済であり（ＳＰ７−ＹＥＳ）、入力データが登録データと一致しなければ（ＳＰ１４−ＮＯ）、待機状態に戻る。これに対し、入力データが登録データと一致すると（ＳＰ１４−ＹＥＳ）、表示器５は部屋番号「２０１」に続く１桁を空けて暗証番号の４桁をスペース表示する（ＳＰ１５）。ここで、数字キー６ａにより再登録する暗証番号「２３４５」が入力されると（ＳＰ１６）、表示器５は「２０１  ２３４５」を表示する（ＳＰ１７）。そして、確認キー６ｃが押されると（ＳＰ１８）、再登録モードの認識コードを送信後、部屋番号「２０１」に続き、暗証番号「２３４５」を送信した後、終了コードを送信する（ＳＰ１９）。これにより、他のテンキー錠ユニット２では、送信された部屋番号「２０１」の暗証番号が「２３４５」に書き換えられ、その際、エラーがある場合にはエラーデータを受信した旨の応答信号を送信する。その後、受信状態となり（ＳＰ２０）、エラーデータを受信しなければ（ＳＰ２１−ＮＯ）、記憶器１０内の部屋番号「２０１」の暗証番号は「２３４５」に書き換えられて記憶され（ＳＰ２２）、待機状態に戻る。
ここで、エラーデータを受信した場合には（ＳＰ２１−ＹＥＳ）、ＳＰ１９〜２１の動作を再実行し、その回数が２回になると（ＳＰ２３−ＹＥＳ）、一定時間エラー表示（エラー内容やロッカー番号の表示）を行った後（ＳＰ２４）、待機状態に戻る。
【００３３】
（施錠モード）
図７における待機状態（ＳＰ３１）から、ロッカー１に物品が収納され（ＳＰ３２）、スタートキー６ｂが押されると（ＳＰ３３）、表示器５には３桁のスペース表示がなされる（ＳＰ３４）。ここで、数字キー６ａにより部屋番号「２０１」がキー入力されると（ＳＰ３５）、表示器５は「２０１」を表示する（ＳＰ３６）。この状態で、確認キー６ｃが押されると（ＳＰ３７）、表示器５の表示がクリアされ（ＳＰ３８）、施錠可能な状態となる（ＳＰ３９）。そして、扉を閉じてロッカー１のハンドルが廻されると（ＳＰ４０）、施錠される（ＳＰ４１）。そして、部屋番号「２０１」が登録データとして記憶器１０に記憶され（ＳＰ４２）、待機状態に戻る。
【００３４】
（解錠モード）
図８における待機状態（ＳＰ５１）から、スタートキー６ｂが押されると（ＳＰ５２）、表示器５には４桁のスペース表示が点滅する（ＳＰ５３）。ここで、数字キー６ａにより暗証番号「１２３４」がキー入力されると（ＳＰ５４）、表示器５は「１２３４」を表示する（ＳＰ５５）。この状態で、確認キー６ｃが押されると（ＳＰ５６）、表示器５の表示がクリアされる（ＳＰ５７）。その後、キー入力された暗証番号は、記憶器１０内のデータと照合され、記憶器１０内の部屋番号「２０１」に対応した暗証番号「１２３４」と一致すると（ＳＰ５８−ＹＥＳ）、解錠可能な状態となる（ＳＰ５９）。そして、ロッカー１のハンドルが廻されると（ＳＰ６０）、解錠される（ＳＰ６１）。この状態で、扉を開いてロッカー１内の物品を取り出すことができる。
【００３５】
（メンテナンスモード）
図９における待機状態（ＳＰ８１）から、数字キー６ａを押しながらスタートキー６ｂが押され（ＳＰ８２）、メンテナンス用暗証番号が数字キー６ａによりキー入力され（ＳＰ８３）、確認キー６ｃが押されると（ＳＰ８４）、キー入力された暗証番号が記憶器１０内の予め登録された暗証番号と一致すれば（ＳＰ８５−ＹＥＳ）、メンテナンスモード動作に移行し（ＳＰ８６）、暗証番号が一致しなければ（ＳＰ８５−ＮＯ）、待機状態に戻る。
そして、暗証番号が一致したときに、スタートキー６ｂと同時に押される数字キー６ａに割り当てられたメンテナンス動作が行われる。
【００３６】
▲１▼  数字キーが「１」の場合には、比較モードとして、図１０に示すように、まず、比較モードの確認コードを送信する（ＳＰ８７）。続いて、記憶器１０内の部屋番号と暗証番号によるデータを順次送信する（ＳＰ８８）。そして、すべてのデータが送信された後に終了コードを送信する（ＳＰ８９）。その後、受信状態となり（ＳＰ９０）、他のテンキー錠ユニット２で不一致のエラーや通信上のエラー等があり、そのエラー内容を示すエラーデータを他のテンキー錠ユニット２から受信すると（ＳＰ９１−ＹＥＳ）、そのエラー内容やエラーを起こしたロッカー番号を表示器５に表示する（ＳＰ９２）。このとき、特にエラーデータがなければ（ＳＰ９１−ＮＯ）、エラー無しの表示（例えば「００００」）が表示器５になされる（ＳＰ９３）。その後、確認キー６ｃが押されれば（ＳＰ９４）、待機状態に戻る。
【００３７】
▲２▼  数字キーが「２」の場合には、コピーモードとして、図１１に示すように、まず、再登録モードの確認コードを送信する（ＳＰ９５）。続いて、記憶器１０内の部屋番号と暗証番号によるデータを送信する（ＳＰ９６）。そして、すべてのデータが送信された後に終了コードを送信する（ＳＰ９７）。その後、受信状態となり（ＳＰ９８）他のテンキー錠ユニットからの部屋番号と暗証番号、ロッカー番号の各データを受信し、受信したデータがエラーデータであれば（ＳＰ９９−ＹＥＳ）、そのエラー内容やエラーを起こしたロッカー番号を表示器５に表示する（ＳＰ１００）。このとき、特にエラーデータがなければ（ＳＰ９９−ＮＯ）、エラー無しの表示（例えば「００００」）が表示器５になされる（ＳＰ１０１）。その後、確認キー６ｃが押されれば（ＳＰ１０２）、待機状態に戻る。
【００３８】
▲３▼  数字キーが「３」の場合には、ロッカー番号登録モードとして、図１２に示すように、ロッカー番号登録認識コードが送信されると（ＳＰ１１０−ＹＥＳ））、この送信コードは通信ケーブル４を介して他のすべてのロッカー１が受信する（ＳＰ１１１）。そして、すべてのロッカー１は、ロッカー番号を初期値、例えば「０００」にセットして表示器５に初期値と同一値、例えば「０００」を表示する（ＳＰ１１２）（図４（ａ）の状態）。この状態で、いずれか１つのロッカー１におけるキー入力器６のスタートキー６ｂが押されると（ＳＰ１１３−ＹＥＳ）（図４では１番のロッカー）、このスタートキー６ｂが押されたロッカー１は、ロッカー番号に＋１したものを記憶器１０に記憶してそのロッカー番号を表示器５に表示し（ＳＰ１１４）、他のすべてのロッカー１にロッカー番号更新認識コードを送信する（ＳＰ１１５）（図４（ｂ）の状態）。更新された以外のロッカー１（２番目のロッカーからｎ番目のロッカー）は、ロッカー番号更新認識コードを受信すると、ロッカー番号に＋１したものを表示器に表示する（ＳＰ１１６）（図４（ｃ）の状態）。
以下、ＳＰ１１３〜ＳＰ１１６の動作がロッカー１の台数分だけ繰り返される。その際、ＳＰ１１３においてスタートキー６ｂが押され、ロッカー番号更新認識コードを送信したロッカー１については、ロッカー番号は登録済なので、他のロッカー１からデータが送信されても、そのデータは受け付けずに無視するようになっている。
そして、最後のロッカー１の確認キー６ｃが押されると（ＳＰ１１７−ＹＥＳ）（図４のｎ（図示の例では１００）番目のロッカー）、すべてのロッカー１のロッカー番号の登録が完了したものと判断し、確認キー６ｃが押されたロッカー１から他のすべてのロッカー１に対してロッカー番号登録完了コードが送信され（ＳＰ１１８）、待機状態に戻る。
【００３９】
なお、上記の動作では、初期値を「０００」としてロッカー番号を０から順番に設定しているが、初期値はロッカー番号が設定される最初の番号に合わせて任意の値（例えばロッカー番号を「５０」から順番に設定する場合には「５０」が初期値となる）に設定することも可能である。
【００４０】
▲４▼  数字キーが「４」の場合には、ロッカー番号確認モードとして、図１３に示すように、まず、予め登録されたロッカー番号確認コードを送信する（ＳＰ１２０）。このロッカー番号確認コードを受信した他のテンキー錠ユニット２では、そのロッカー１に割当登録されたロッカー番号が表示器５に表示される（ＳＰ１２１）。その後、確認キー６ｃが押されると（ＳＰ１２２−ＹＥＳ）、他のテンキー錠ユニット２にロッカー番号確認完了コードを送信し（ＳＰ１２３）、待機状態となる。
確認キー６ｃが押されず（ＳＰ１２２−ＮＯ）、他のテンキー錠ユニット２からロッカー番号確認完了コードを受信すると（ＳＰ１２４−ＹＥＳ）、待機状態に戻る。
【００４１】
以上説明した実施例によれば、表示器５とキー入力器６を備えた同一構成によるテンキー錠ユニット２を各ロッカー１毎に配設し、各テンキー錠ユニット２が通信ケーブル４を介して接続された構成なので、従来のようなロッカー内の回路基板を出し入れする作業の手間が省け、ロッカー番号を事前に設定する必要はなく、ロッカー１の設置後や新たにロッカー１を増設する場合にも、すべてのロッカー１のロッカー番号の設定をキー入力器６による極めて簡単なキー操作のみで何時でも行うことができる。しかも、ロッカー番号登録モードにおいて、ロッカー番号が登録済のロッカー１は、他のロッカー１からの送信データを受け付けないので、誤設定の低減が図れ、オペレータは表示器５の表示値を確認しながらスタートキー６ｂが押下されたロッカー１の順にロッカー番号の設定が行える。
【００４２】
また、ロッカー１の台数が多くなった場合、「登録・再登録モード」での暗証番号の登録・再登録、「メンテナンスモード」での各種データのコピーや比較を行った際に、データにエラーが発生すると、従来の構成では、すべてのロッカー１の表示を確認してエラーしたロッカー１を探し出す必要があるが、本実施例では、ロッカー番号を示すデータは、通信ケーブル４を介して各テンキー錠ユニット２間で伝送される構成なので、現在利用しているロッカー１の表示器５にエラーしたロッカー番号を表示することでエラー状態を認識させることができる。
【００４３】
ところで、上述した実施例では、集合住宅に設置して、居住者不在時の物品を管理するシステムに適用した例について説明したが、ロッカー番号の管理が必要なシステムであれば、これに限ることはない。例えば、ゴルフ場、フィットネス、アミューズメント等の貸しロッカーのシステムに適用することができる。
【００４４】
【発明の効果】
以上説明したように、本発明のロッカー番号設定装置およびロッカー番号設定方法によれば、ロッカー番号を事前に設定する必要はなく、ロッカーの設置後であっても、すべてのロッカーのロッカー番号の設定を表示で確認しながらの極めて簡単なキー操作のみで何時でも行え、新たにロッカーを増設する場合にも即座に対処することができる。
【図面の簡単な説明】
【図１】本発明によるロッカー番号設定装置が適用されるロッカーシステムのブロック構成図
【図２】同システムのテンキー錠ユニットと電気錠の概略構成図
【図３】テンキー錠ユニットの内部構成の詳細を示すブロック図
【図４】同システムの「ロッカー番号登録モード」の登録手順を示す説明図
【図５】同システムの「登録・再登録モード」の動作を示すフローチャート図
【図６】図５に続く「登録・再登録モード」の動作を示すフローチャート図
【図７】同システムの「施錠モード」の動作を示すフローチャート図
【図８】同システムの「解錠モード」の動作を示すフローチャート図
【図９】同システムの「メンテナンスモード」の動作を示すフローチャート図
【図１０】同システムの「メンテナンスモード」における比較モードの動作を示すフローチャート図
【図１１】同システムの「メンテナンスモード」におけるコピーモードの動作を示すフローチャート図
【図１２】同システムの「メンテナンスモード」におけるロッカー番号登録モードの動作を示すフローチャート図
【図１３】同システムの「メンテナンスモード」におけるロッカー番号確認モードの動作を示すフローチャート図
【符号の説明】
１…ロッカー、２…テンキー錠ユニット、４…通信ケーブル、５…表示器、６…キー入力器、１０…記憶器、１１…マイクロコンピュータ、１７…データ書込手段、２０…表示制御手段、２１…電気錠。
【図１】
0003618387.tif 000002
【図２】
0003618387.tif 000003
【図３】
0003618387.tif 000004
【図４】
0003618387.tif 000005
【図５】
0003618387.tif 000006
【図６】
0003618387.tif 000007
【図７】
0003618387.tif 000008
【図８】
0003618387.tif 000009
【図９】
0003618387.tif 000010
【図１０】
0003618387.tif 000011
【図１１】
0003618387.tif 000012
【図１２】
0003618387.tif 000013
【図１３】
0003618387.tif 000014